【手続補正書】
【提出日】平成27年5月28日(2015.5.28)
【手続補正１】
【補正対象書類名】特許請求の範囲
【補正対象項目名】全文
【補正方法】変更
【補正の内容】
【特許請求の範囲】
【請求項１】
メモリ及びプロセッサを有する車両の運転者の眠気を予防するコンピュータに実行させる方法であって、
前記プロセッサは、
前記運転者の痛覚閾値より下の所定のレベルに対応する、冷熱グリルの設定を決定し、
前記決定した設定を前記メモリに記憶し、
車両操作の間に、前記冷熱グリルを前記記憶した設定に合わせ、
前記冷熱グリルは、
交互に配置された複数の温暖領域及び複数の寒冷領域を有し、
前記車両のステアリングホイールの外面に位置し、
少なくとも１つの前記温暖領域及び少なくとも１つの前記寒冷領域は、
前記運転者が前記ステアリングホイールを握るときに前記運転者の手に接触する前記ステアリングホイール上の所定の位置にあって、前記ステアリングホイールの外面に露出し、
前記冷熱グリルの設定を決定することは、
少なくとも１つの前記温暖領域を第１の温度に設定すると同時に、
少なくとも１つの前記寒冷領域を前記第１の温度とは異なる第２の温度に設定し、
前記第１の温度及び前記第２の温度に設定されている前記領域を含む前記冷熱グリルが前記運転者に対して不快な感覚を発生させるか否かを示す入力を受け取ることを含むこと、
を特徴とする方法。
【請求項２】
前記プロセッサは、
前記運転者が前記冷熱グリルの設定を希望していることを示す入力を受け取ると、前記冷熱グリルを前記記憶した設定に合わせること、
を特徴とする請求項１に記載の方法。
【請求項３】
前記プロセッサは、
前記運転者が前記冷熱グリルの設定を希望していないことを示す入力を受け取った後所定の時間が経過すると、前記冷熱グリルを前記記憶した設定に合わせること、
を特徴とする請求項１に記載の方法。
【請求項４】
前記プロセッサは、
前記冷熱グリルを前記記憶した設定に合わせる前に、前記運転者に警告を与えること、
を特徴とする請求項１に記載の方法。
【請求項５】
前記プロセッサは、
所定の時間が経過した後に、冷熱グリルの設定を決定する処理を繰り返すこと、
を特徴とする請求項１に記載の方法。
【請求項６】
前記プロセッサは、
前記冷熱グリルの追加設定であって、異なる複数の感度レベルに対応し、少なくとも１つの前記温暖領域又は少なくとも１つの前記寒冷領域の異なる温度を含む追加設定を記憶し、
前記冷熱グリルを前記記憶した設定に合わせることは、
前記運転者が選択する感度レベルに対応する記憶された設定に前記冷熱グリルを合わせることを含むこと、
を特徴とする請求項１に記載の方法。
【請求項７】
車両の運転者の眠気を予防するコンピュータを機能させるコンピュータプログラムを格納する記憶媒体であって、
前記コンピュータプログラムは、
前記コンピュータに対し、
前記運転者の痛覚閾値より下の所定のレベルに対応する、冷熱グリルの設定を決定し、
前記決定した設定を記憶し、
車両操作の間に、前記冷熱グリルを前記記憶した設定に合わせる処理を実行させ、
前記冷熱グリルは、
交互に配置された複数の温暖領域及び複数の寒冷領域を有し、
前記車両のステアリングホイールの外面に位置し、
少なくとも１つの前記温暖領域及び少なくとも１つの前記寒冷領域は、
前記運転者が前記ステアリングホイールを握るときに前記運転者の手に接触する前記ステアリングホイール上の所定の位置にあって、前記ステアリングホイールの外面に露出し、
前記冷熱グリルの設定を決定することは、
少なくとも１つの前記温暖領域を第１の温度に設定すると同時に、
少なくとも１つの前記寒冷領域を前記第１の温度とは異なる第２の温度に設定し、
前記第１の温度及び前記第２の温度に設定されている前記領域を含む前記冷熱グリルが前記運転者に対して不快な感覚を発生させるか否かを示す入力を受け取ることを含むこと、
を特徴とする記憶媒体。
【請求項８】
前記コンピュータプログラムは、
前記コンピュータに対し、
前記運転者が前記冷熱グリルの設定を希望していることを示す入力を受け取ると、前記冷熱グリルを前記記憶した設定に合わせる処理を実行させること、
を特徴とする請求項７に記載の記憶媒体。
【請求項９】
前記コンピュータプログラムは、
前記コンピュータに対し、
前記運転者が前記冷熱グリルの設定を希望していないことを示す入力を受け取った後所定の時間が経過すると、前記冷熱グリルを前記記憶した設定に合わせる処理を実行させること、
を特徴とする請求項７に記載の記憶媒体。
【請求項１０】
前記コンピュータプログラムは、
前記コンピュータに対し、
前記冷熱グリルを前記記憶した設定に合わせる前に、前記運転者に警告を与える処理を実行させること、
を特徴とする請求項７に記載の記憶媒体。
【請求項１１】
前記コンピュータプログラムは、
前記コンピュータに対し、
所定の時間が経過した後に、冷熱グリルの設定を決定することを繰り返す処理を実行させること、
を特徴とする請求項７に記載の記憶媒体。
【請求項１２】
前記コンピュータプログラムは、
前記コンピュータに対し、
前記冷熱グリルの追加設定であって、異なる複数の感度レベルに対応し、少なくとも１つの前記温暖領域又は少なくとも１つの前記寒冷領域の異なる温度を含む追加設定を記憶する処理を実行させ、
前記冷熱グリルを前記記憶した設定に合わせることは、
前記運転者が選択する感度レベルに対応する記憶された設定に前記冷熱グリルを合わせることを含むこと、
を特徴とする請求項７に記載の記憶媒体。
【請求項１３】
車両の運転者の眠気を予防するコンピュータシステムであって、
前記コンピュータシステムは、
プロセッサ及びコンピュータ読取可能な記憶媒体を有し、
前記記憶媒体は、
コンピュータプログラムを格納し、
前記コンピュータプログラムは、
前記プロセッサに対し、
前記運転者の痛覚閾値より下の所定のレベルに対応する、冷熱グリルの設定を決定し、
前記決定した設定を記憶し、
車両操作の間に、前記冷熱グリルを前記記憶した設定に合わせる処理を実行させ、
前記冷熱グリルは、
交互に配置された複数の温暖領域及び複数の寒冷領域を有し、
前記車両のステアリングホイールの外面に位置し、
少なくとも１つの前記温暖領域及び少なくとも１つの前記寒冷領域は、
前記運転者が前記ステアリングホイールを握るときに前記運転者の手に接触する前記ステアリングホイール上の所定の位置にあって、前記ステアリングホイールの外面に露出し、
前記冷熱グリルの設定を決定することは、
少なくとも１つの前記温暖領域を第１の温度に設定すると同時に、
少なくとも１つの前記寒冷領域を前記第１の温度とは異なる第２の温度に設定し、
前記第１の温度及び前記第２の温度に設定されている前記領域を含む前記冷熱グリルが前記運転者に対して不快な感覚を発生させるか否かを示す入力を受け取ることを含むこと、
を特徴とするコンピュータシステム。
【請求項１４】
前記コンピュータプログラムは、
前記プロセッサに対し、
前記運転者が前記冷熱グリルの設定を希望していることを示す入力を受け取ると、前記冷熱グリルを前記記憶した設定に合わせる処理を実行させること、
を特徴とする請求項１３に記載のコンピュータシステム。
【請求項１５】
前記コンピュータプログラムは、
前記プロセッサに対し、
前記運転者が前記冷熱グリルの設定を希望していないことを示す入力を受け取った後所定の時間が経過すると、前記冷熱グリルを前記記憶した設定に合わせる処理を実行させること、
を特徴とする請求項１３に記載のコンピュータシステム。
【請求項１６】
前記コンピュータプログラムは、
前記プロセッサに対し、
前記冷熱グリルを前記記憶した設定に合わせる前に、前記運転者に警告を与える処理を実行させること、
を特徴とする請求項１３に記載のコンピュータシステム。
【請求項１７】
前記コンピュータプログラムは、
前記プロセッサに対し、
所定の時間が経過した後に、冷熱グリルの設定を決定することを繰り返す処理を実行させること、
を特徴とする請求項１３に記載のコンピュータシステム。
【請求項１８】
前記コンピュータプログラムは、
前記プロセッサに対し、
前記冷熱グリルの追加設定であって、異なる複数の感度レベルに対応し、少なくとも１つの前記温暖領域又は少なくとも１つの前記寒冷領域の異なる温度を含む追加設定を記憶する処理を実行させ、
前記冷熱グリルを前記記憶した設定に合わせることは、
前記運転者が選択する感度レベルに対応する記憶された設定に前記冷熱グリルを合わせることを含むこと、
を特徴とする請求項１３に記載のコンピュータシステム。